(57)【要約】【課題】複数の板金製部材を組み合わせて構成される電子機器用筐体において、第１部材に第２部材を組み合わせるにあたり、第１部材に設けた折り曲げ部の存在が第２部材の組み付けの障害にならないようにする。【解決手段】板金製リアパネル２０には、筐体１の内部方向に突出する折り曲げ部２１Ｈ、２１Ｖが互いに直交するようにコーナー部の縁に連設されている。板金製トップカバー３０は、主部３１の両側縁にウィング部３２が直角に連設され、断面形状略コ字形となっている。ウィング部３２を迎えるリアパネル２０のコーナー部には面取りカット２２が施され、リアパネル２０の上縁に連設された折り曲げ部２２Ｈにはリアパネル２０の側縁に連設された折り曲げ部２１Ｖの縁まで面取りカット２２の斜辺に沿って延びる庇状部２３が連設されている。【選択図】図１
2007311513.tif 000002
【特許請求の範囲】
【請求項１】
複数の板金製部材を組み合わせて構成される電子機器用筐体において、
前記複数の部材には、筐体内部方向に突出する折り曲げ部が互いに直交するようにコーナー部の縁に連設された第１部材と、主部の両側縁にウィング部を直角に連設して断面形状略コ字形とし、前記ウィング部の先端側から前記第１部材の外側に嵌合せしめられることにより、第１部材と直角をなすように組み合わされて第１部材を外側から包む第２部材とが含まれるものであり、
前記ウィング部を迎える前記第１部材のコーナー部には面取りカットが施され、この面取りカットを上にして第１部材は垂直に立てられ、この第１部材の上縁に連設された前記折り曲げ部に、第１部材の側縁に連設された折り曲げ部の縁まで前記面取りカットの斜辺に沿って延びる庇状部が連設されるとともに、
前記第２部材のウィング部先端には筐体内部方向に突出する折り曲げ部が連設されていることを特徴とする電子機器用筐体。
【請求項２】
複数の板金製部材を組み合わせて構成される電子機器用筐体において、    
前記複数の部材には、筐体内部方向に突出する折り曲げ部が互いに直交するようにコーナー部の縁に連設された第１部材と、主部の両側縁にウィング部を直角に連設して断面形状略コ字形とし、前記ウィング部の先端側から前記第１部材の外側に嵌合せしめられることにより、第１部材と直角をなすように組み合わされて第１部材を外側から包む第２部材とが含まれるものであり、
前記ウィング部を迎える前記第１部材のコーナー部には面取りカットが施され、前記直交する折り曲げ部の一方には他方の折り曲げ部の縁まで前記面取りカットの斜辺に沿って延びる庇状部が連設されていることを特徴とする電子機器用筐体。
【請求項３】
前記第１部材は前記面取りカットを上にして垂直に立てられるものであり、この第１部材の上縁に連設された前記折り曲げ部に前記庇状部が連設されていることを特徴とする請求項１に記載の電子機器用筐体。
【請求項４】
前記第２部材のウィング部先端には筐体内部方向に突出する折り曲げ部が連設されていることを特徴とする請求項２または３に記載の電子機器用筐体。
【発明の詳細な説明】
【技術分野】
【０００１】
本発明は電子機器用筐体に関する。
【背景技術】
【０００２】
本発明は電子機器用筐体に関する。電子機器用筐体は複数の板金製部材を組み合わせて構成することが多い。特許文献１に記載されたものはその典型例である。
【特許文献１】特開２００２−２１７５５６号公報（［００２７］−［００４１］、図１−８）
【発明の開示】
【発明が解決しようとする課題】
【０００３】
従来の電子機器用筐体の構造例を図６−８に示す。図６は筐体の分解斜視図、図７はリアパネルの部分展開図、図８はトップカバーの嵌合作業状態を示す断面図である。
【０００４】
図に示す電子機器用筐体１は特許文献１に記載された電子機器用筐体とほぼ同様の構成であり、３個の板金製部材と１個の合成樹脂製部材からなる。板金製部材はボトムシャーシ１０、リアパネル２０、及びトップカバー３０であり、合成樹脂製部材はフロントパネル４０である。ボトムシャーシ１０にリアパネル２０を、互いに直角をなすように組み合わせて固定し、この組み合わせ体にフロントパネル４０を固定して上面の開放した筐体下部を形成し、これに機構部品や回路基板などを取り付ける。最後にトップカバー３０を、リアパネル２０と直角をなすように上からかぶせ、ボトムシャーシ１０とリアパネル２０の組み合わせ体にねじ止めすることにより、電子機器が完成する。
【０００５】
リアパネル２０は垂直に立てた状態でボトムシャーシ１０に固定されるものであり、その上縁には筐体１の内部方向に突出する水平な折り曲げ部２１Ｈが連設され、左右両縁には同じく筐体１の内部方向に突出する垂直な折り曲げ部２１Ｖが連設されている。折り曲げ部２１Ｈ、２１Ｖは、リアパネル２０の強度を向上させ、トップカバー３０に所定面積の受け止め箇所を提供し、また板金のエッジで作業者が負傷しないようにするなどの役割を担う。
【０００６】
トップカバー３０は、ボトムシャーシ１０の平面投影とほぼ同大の水平な主部３１の両側縁に、リアパネル２０の高さとほぼ同じ高さのウィング部３２を直角に連設して断面形状略コ字形としたものであり、ウィング部３２の先端には筐体１の内部方向に突出する水平な折り曲げ部３３Ｈが連設されている。折り曲げ部３３Ｈは、ウィング部３２の強度を向上させ、また板金のエッジで作業者が負傷しないようにするなどの役割を担う。
【０００７】
リアパネル２０に仕上げる前の板金の展開状態は、リアパネル２０のコーナー部では図７のようになる。折り曲げ部２１Ｈとなる部分と折り曲げ部２１Ｖとなる部分をそれぞれ筐体１の内部方向に折り曲げると、上縁に折り曲げ部２１Ｈが連設され、これと直交する形で側縁に折り曲げ部２１Ｖが連設されたリアパネル２０が完成する。完成状態では折り曲げ部２１Ｈの側縁は横向きに露出し、折り曲げ部２１Ｖの上縁は上向きに露出する。この上向きに露出した折り曲げ部２１Ｖの上縁が組立上の障害となっていた。
【０００８】
すなわち、リアパネル２０にトップカバー３０を上から嵌合しようとすると、折り曲げ部３３Ｈが折り曲げ部２１Ｖに引っ掛かってしまう。そのため、図８に示すようにウィング部３２を外側に引き、トップカバー３０の下部を末広がりに広げた状態にしてリアパネル２０にかぶせる必要がある。これは作業者にとり大きな負担であり、生産性が落ちる。またウィング部３２を開くとき折り曲げ部３３Ｈのエッジで手を負傷する危険もあった。
【０００９】
上記の問題を解決するため、次のような対策が考えられた。すなわち図９に示すように、ウィング部３２の一部を切除してリアパネル２０に干渉しないようにするのである。このようにすればトップカバー３０を広げる必要がないので作業性は向上するが、連設部分の長さが短縮されるためウィング部３２の曲げ強度が低下するうえ、リアパネル２０が側面から見える形になって美観が損なわれるという問題があった。
【００１０】
本発明は上記の点に鑑みなされたものであり、複数の板金製部材を組み合わせて構成される電子機器用筐体において、第１部材（例えばリアパネル）に第２部材（例えばトップカバー）を組み合わせるにあたり、第１部材に設けた折り曲げ部の存在が第２部材の組み付けの障害にならないようにすることを目的とする。
【課題を解決するための手段】
【００１１】
上記目的を達成するために、請求項１の発明は、複数の板金製部材を組み合わせて構成される電子機器用筐体において、前記複数の部材には、筐体内部方向に突出する折り曲げ部が互いに直交するようにコーナー部の縁に連設された第１部材と、主部の両側縁にウィング部を直角に連設して断面形状略コ字形とし、前記ウィング部の先端側から前記第１部材の外側に嵌合せしめられることにより、第１部材と直角をなすように組み合わされて第１部材を外側から包む第２部材とが含まれるものであり、前記ウィング部を迎える前記第１部材のコーナー部には面取りカットが施され、この面取りカットを上にして第１部材は垂直に立てられ、この第１部材の上縁に連設された前記折り曲げ部に、第１部材の側縁に連設された折り曲げ部の縁まで前記面取りカットの斜辺に沿って延びる庇状部が連設されるとともに、前記第２部材のウィング部先端には筐体内部方向に突出する折り曲げ部が連設されていることを特徴としている。
【００１２】
この構成によると、第２部材のウィング部先端を第１部材の庇状部にあてがい、第２部材を第１部材に押し付ければ、庇状部の斜面でウィング部が自然に外側に開き、第２部材を第１部材にスムーズに嵌合させることができる。庇状部は他方の折り曲げ部の縁まで届くので、そこにウィング部の先端が引っ掛かって第２部材が止まってしまうということもない。このため、筐体の組立を無駄な労力無しで行うことができ、生産性が向上する。また第１部材が垂直に立っているので第１部材に対し第２部材を上からかぶせるという単純な作業様式で筐体の組立を遂行することができるうえ、第２部材のウィング部先端に、筐体内部方向に突出する折り曲げ部が連設したことにより、ウィング部の強度が向上し、板金のエッジで作業者が負傷する危険も減少する。
【００１３】
請求項２の発明は、複数の板金製部材を組み合わせて構成される電子機器用筐体において、前記複数の部材には、筐体内部方向に突出する折り曲げ部が互いに直交するようにコーナー部の縁に連設された第１部材と、主部の両側縁にウィング部を直角に連設して断面形状略コ字形とし、前記ウィング部の先端側から前記第１部材の外側に嵌合せしめられることにより、第１部材と直角をなすように組み合わされて第１部材を外側から包む第２部材とが含まれるものであり、前記ウィング部を迎える前記第１部材のコーナー部には面取りカットが施され、前記直交する折り曲げ部の一方には他方の折り曲げ部の縁まで前記面取りカットの斜辺に沿って延びる庇状部が連設されていることを特徴としている。
【００１４】
この構成によると、第２部材のウィング部先端を第１部材の庇状部にあてがい、第２部材を第１部材に押し付ければ、庇状部の斜面でウィング部が自然に外側に開き、第２部材を第１部材にスムーズに嵌合させることができる。庇状部は他方の折り曲げ部の縁まで届くので、そこにウィング部の先端が引っ掛かって第２部材が止まってしまうということもない。このため、筐体の組立を無駄な労力無しで行うことができ、生産性が向上する。
【００１５】
請求項３の発明は、請求項２の電子機器用筐体において、前記第１部材は前記面取りカットを上にして垂直に立てられるものであり、この第１部材の上縁に連設された前記折り曲げ部に前記庇状部が連設されていることを特徴としている。
【００１６】
この構成によると、第１部材に対し第２部材を上からかぶせるという単純な作業様式で筐体の組立を遂行することができる。
【００１７】
請求項４の発明は、請求項２または３の電子機器用筐体において、前記第２部材のウィング部先端には筐体内部方向に突出する折り曲げ部が連設されていることを特徴としている。
【００１８】
この構成によると、ウィング部の強度が向上し、また板金のエッジで作業者が負傷する危険が減少する。
【発明の効果】
【００１９】
以上のように本発明の電子機器用筐体は、主部の両側縁にウィング部を直角に連設した断面略コ字形の板金製第２部材を板金製第１部材の外側に嵌合させるものにおいて、第２部材のウィング部を迎える第１部材のコーナー部に面取りカットを施し、このコーナー部に互いに直交するように連設された折り曲げ部の一方には、他方の折り曲げ部の縁まで、面取りカットの斜辺に沿って延びる庇状部を設けたものであるから、第２部材のウィング部先端を第１部材の庇状部にあてがい、第２部材を第１部材に押し付ければ、庇状部の斜面でウィング部が自然に外側に開き、引っ掛かりを生じることなく第２部材を第１部材にスムーズに嵌合させることができ、組立生産性が向上する。
【発明を実施するための最良の形態】
【００２０】
以下、添付図面を参照しつつ本発明の実施形態を説明する。図１は筐体の分解斜視図、図２は完成状態の筐体の斜視図、図３はトップカバーの嵌合作業状態を示す断面図、図４はトップカバー嵌合完了後の断面図、図５はリアパネルの部分展開図である。なお実施形態の筐体は大部分の構成が図６以下に示した従来の筐体と共通である。そこで、説明の重複を避けるため、従来の筐体と共通する構成要素には図６以下の説明で使用したのと同じ符号を付し、説明は省略するものとする。
【００２１】
本発明に係る筐体１は、リアパネル２０（第１部材）のコーナー部の構造が従来の筐体と異なる。すなわち、図５に見られるように、リアパネル２０の板金素材には、トップカバー３０（第２部材）のウィング部３２を迎える面取りカット２２が上部２箇所のコーナー部に施されている。また折り曲げ部２１Ｈとなる箇所の端には面取りカット２２の斜辺の長さにほぼ等しい長さの延長部２１ＨＥが連設されている。
【００２２】
図５の板金素材から、折り曲げ部２１Ｈとなる部分と折り曲げ部２１Ｖとなる部分をそれぞれ筐体１の内部方向に折り曲げる。さらに、折り曲げ部２１Ｈの端の延長部２１ＨＥを面取りカット２２の斜辺に沿うように折り曲げる。これにより、折り曲げ部２１Ｖの縁まで面取りカット２２の斜辺に沿って延びる庇状部２３が形成される。
【００２３】
図３のように、トップカバー３０をリアパネル２０に上からかぶせてウィング部３２の先端を庇状部２３にあてがい、上からトップカバー３０をリアパネル２０に押し付ければ、庇状部２３の斜面で折り曲げ部３３Ｈが滑ってウィング部３２が自然に外側に開き、トップカバー３０をリアパネル２０にスムーズに嵌合させることができる。庇状部２３は折り曲げ部２１Ｖの縁まで届くので、そこに折り曲げ部３３Ｈが引っ掛かってトップカバー３０が止まってしまうということもない。嵌合作業が完了すれば、図４のようにリアパネル２０はトップカバー３０で包まれる形になる。
【００２４】
以上本発明の実施形態につき説明したが、発明の主旨を逸脱しない範囲でさらに種々の変更を加えて実施することができる。
【産業上の利用可能性】
【００２５】
本発明は複数の板金製部材を組み合わせて構成される電子機器用筐体全般に利用可能である。
【図面の簡単な説明】
【００２６】
【図１】筐体の分解斜視図
【図２】完成状態の筐体の斜視図
【図３】トップカバーの嵌合作業状態を示す断面図
【図４】トップカバー嵌合完了後の断面図
【図５】リアパネルの部分展開図
【図６】従来構造の筐体の分解斜視図
【図７】従来構造のリアパネルの部分展開図
【図８】従来のトップカバーの嵌合作業状態を示す断面図
【図９】従来構造の改良型に係る筐体の分解斜視図
【符号の説明】
【００２７】
１    筐体
１０  ボトムシャーシ
２０  リアパネル（第１部材）
２１Ｈ、２１Ｖ  折り曲げ部
２２  面取りカット
２３  庇状部
３０  トップカバー（第２部材）
３１  主部
３２  ウィング部
３３Ｈ  折り曲げ部
【図１】
2007311513.tif 000003
【図２】
2007311513.tif 000004
【図３】
2007311513.tif 000005
【図４】
2007311513.tif 000006
【図５】
2007311513.tif 000007
【図６】
2007311513.tif 000008
【図７】
2007311513.tif 000009
【図８】
2007311513.tif 000010
【図９】
2007311513.tif 000011